(57)【要約】  クレードルは、電子機器コネクタ（１１０）と該電子機器コネクタを覆うコネクタカバー（１２０）とを備える携帯型電子機器（１０１）が装着されるクレードルであって、電子機器コネクタ（１１０）に接続されるクレードルコネクタ（１２）を有し、携帯型電子機器（１０１）を保持する保持部と、抱え込み部（２１ｂ）が設けられた引っ掛け部本体（２１）を有する引っ掛け部（２０）とを備える。引っ掛け部（２０）は、クレードルに対する携帯型電子機器（１０１）の装着経路を遮蔽する第１の位置（Ｐ１）から、携帯型電子機器（１０１）により押圧されることによって、抱え込み部（２１ｂ）によりコネクタカバー（１２０）を引っ掛けて抱え込みながら、装着経路から退避した第２の位置（Ｐ２）に移動する。
2016103523.tif 000002
【特許請求の範囲】
【請求項１】
電子機器コネクタと該電子機器コネクタを覆うコネクタカバーとを備える携帯型電子機器が装着されるクレードルであって、  前記電子機器コネクタに接続されるクレードルコネクタを有し、前記携帯型電子機器を保持する保持部と、  前記クレードルに対する前記携帯型電子機器の装着経路を遮蔽する第１の位置において、前記携帯型電子機器により押圧されることによって、前記コネクタカバーを引っ掛けて抱え込みながら、前記装着経路から退避した第２の位置に移動する引っ掛け部と、  を備えることを特徴とするクレードル。
【請求項２】
前記引っ掛け部は、前記電子機器コネクタを覆う位置から離隔した状態の前記コネクタカバーを引っ掛けて抱え込みながら前記第２の位置に移動することを特徴とする請求項１記載のクレードル。
【請求項３】
前記引っ掛け部は、前記保持部によって前記第１の位置と前記第２の位置とに回動可能に支持されていることを特徴とする請求項１記載のクレードル。
【請求項４】
前記付勢部は、前記引っ掛け部と前記保持部との間に配置された板バネであることを特徴とする請求項３記載のクレードル。
【請求項５】
前記携帯型電子機器の前記コネクタカバーは、前記電子機器コネクタを覆うカバー本体と、該カバー本体に連結され前記携帯型電子機器の内部に抜き出し可能に収容されるアーム部と、を有し、  前記引っ掛け部には、前記カバー本体を引っ掛けて抱え込んだ状態で、前記アーム部が挿入される切り欠き部が形成されている、  ことを特徴とする請求項１記載のクレードル。
【請求項６】
前記保持部は、前記クレードルに装着される過程の前記携帯型電子機器の両側面の各々をガイドする２つのガイド部を更に備えることを特徴とする請求項１記載のクレードル。
【請求項７】
電子機器コネクタと該電子機器コネクタを覆うコネクタカバーとを備える携帯型電子機器と、  前記携帯型電子機器が装着されるクレードルと、  を具備する携帯型電子機器セットであって、  前記クレードルは、  前記電子機器コネクタに接続されるクレードルコネクタを有し、前記携帯型電子機器を保持する保持部と、  前記クレードルに対する前記携帯型電子機器の装着経路を遮蔽する第１の位置において、前記携帯型電子機器により押圧されることによって、前記コネクタカバーを引っ掛けて抱え込みながら、前記装着経路から退避した第２の位置に移動する引っ掛け部と、  前記引っ掛け部を前記第１の位置に向けて付勢する付勢部と、を備える、  ことを特徴とする携帯型電子機器セット。
【発明の詳細な説明】
【技術分野】
【０００１】  本発明は、携帯型電子機器が装着されるクレードル、及び、携帯型電子機器とクレードルとを具備する携帯型電子機器セットに関する。
【背景技術】
【０００２】  従来、検品に用いられるＨＨＴ端末（Hand Held Terminal）、タブレット端末、スマートフォン等の携帯型電子機器には、コネクタを覆う防水キャップなどのコネクタカバーが設けられる。【０００３】  一例ではあるが、コネクタカバーは、コネクタを覆うカバー本体と、このカバー本体に連結され携帯型電子機器の内部に抜き出し可能に収容されるアーム部と、を有する。このようなコネクタカバーでは、携帯型電子機器がクレードルに装着されるとき、カバー本体は、予め人の手によってコネクタを覆う位置から取り外され垂れ下がった状態となる。また、垂れ下がった状態のカバー本体は、携帯型電子機器がクレードルに装着されるのを妨げない位置に人の手によって保持される。【０００４】  ここで、クレードルは、装着される携帯型電子機器に対し、データ送受信、充電などの何らかの処理を行うためのコネクタを有する機器である。【０００５】  他のコネクタカバーの例であるが、コネクタカバーが携帯型電子機器に対し分離可能に設けられている場合には、予め人の手によって携帯型電子機器から取り外されたコネクタカバーを紛失しないように、人が保管する手間が生じる。また、そもそもコネクタカバーが設けられていない場合には、コネクタが常時外部に露出するため、コネクタにショート、破損等の問題が生じうる。【０００６】  ところで、携帯型電子機器のコネクタとクレードルのコネクタとを接続するための構造として、クレードルのコネクタを覆う保護ガイドが、携帯型電子機器のコネクタを覆う保護カバーの斜面部を押すことによって、この保護カバーを開かせる構造が知られている（例えば、特許文献１参照）。【０００７】  また、弾性力に抗して携帯型電子機器の開口部に嵌め入れられていたカバー部が、開口部より開放された場合に開口部の直下よりも後方の開放位置へと復帰する構造が知られている（例えば、特許文献２参照）。
【先行技術文献】
【特許文献】
【０００８】
【特許文献１】特開２００９−２８９５２３号公報
【特許文献２】特開２００６−４９９４４号公報
【発明の概要】
【発明が解決しようとする課題】
【０００９】  しかしながら、上述のように、クレードルの保護ガイドが携帯型電子機器の保護カバーの斜面部を押すことによって、この保護カバーを開かせる構造は、押される側の保護カバーを開閉させる機構が携帯型電子機器に設けられることになる。そのため、携帯型電子機器の構造が複雑化する。【００１０】  また、上述のように、携帯型電子機器の開口部に嵌め入れられていたカバー部が、開口部より開放された場合に開口部の直下よりも後方の開放位置へと復帰する構造は、開放時のカバー部を開放位置へと復帰させる機構が携帯型電子機器に設けられることになる。そのため、携帯型電子機器の構造が複雑化する。【００１１】  本発明の目的は、携帯型電子機器の構造が複雑化するのを防ぎながら、クレードルに対する携帯型電子機器の装着経路から携帯型電子機器のコネクタカバーを確実に退避させることができるクレードル及び携帯型電子機器セットを提供することができる。
【課題を解決するための手段】
【００１２】  １つの態様では、クレードルは、電子機器コネクタと該電子機器コネクタを覆うコネクタカバーとを備える携帯型電子機器が装着されるクレードルであって、前記電子機器コネクタに接続されるクレードルコネクタを有し、前記携帯型電子機器を保持する保持部と、前記クレードルに対する前記携帯型電子機器の装着経路を遮蔽する第１の位置において、前記携帯型電子機器により押圧されることによって、前記コネクタカバーを引っ掛けて抱え込みながら、前記装着経路から退避した第２の位置に移動する引っ掛け部と、を備える。【００１３】  別の１つの態様では、携帯型電子機器セットは、電子機器コネクタと該電子機器コネクタを覆うコネクタカバーとを備える携帯型電子機器と、前記携帯型電子機器が装着されるクレードルと、を具備する携帯型電子機器セットであって、前記クレードルは、前記電子機器コネクタに接続されるクレードルコネクタを有し、前記携帯型電子機器を保持する保持部と、前記クレードルに対する前記携帯型電子機器の装着経路を遮蔽する第１の位置において、前記携帯型電子機器により押圧されることによって、前記コネクタカバーを引っ掛けて抱え込みながら、前記装着経路から退避した第２の位置に移動する引っ掛け部と、前記引っ掛け部を前記第１の位置に向けて付勢する付勢部と、を備える。
【発明の効果】
【００１４】  本発明によれば、携帯型電子機器の構造が複雑化するのを防ぎながら、クレードルに対する携帯型電子機器の装着経路から携帯型電子機器のコネクタカバーを確実に退避させることができる。
【図面の簡単な説明】
【００１５】
【図１】本発明の一実施の形態に係る携帯型電子機器セットを示す斜視図である。
【図２Ａ】本発明の一実施の形態における引っ掛け部を示す正面図である。
【図２Ｂ】本発明の一実施の形態における引っ掛け部及び板バネを示す右側面図である。
【図２Ｃ】本発明の一実施の形態における引っ掛け部及び板バネを示す背面図である。
【図２Ｄ】本発明の一実施の形態における引っ掛け部及び板バネを右斜め後方から見た斜視図である。
【図２Ｅ】本発明の一実施の形態における引っ掛け部及び板バネを左斜め後方から見た斜視図である。
【図３Ａ】本発明の一実施の形態における、電子機器コネクタとクレードルコネクタとが接続される際の引っ掛け部の動作を説明するための説明図（その１）である。
【図３Ｂ】本発明の一実施の形態における、電子機器コネクタとクレードルコネクタとが接続される際の引っ掛け部の動作を説明するための説明図（その２）である。
【図３Ｃ】本発明の一実施の形態における、電子機器コネクタとクレードルコネクタとが接続される際の引っ掛け部の動作を説明するための説明図（その３）である。
【発明を実施するための形態】
【００１６】  以下、本発明の実施の形態に係るクレードル及び携帯型電子機器セットについて、図面を参照しながら説明する。
【００１７】  図１は、本発明の一実施の形態に係る携帯型電子機器セット１００を示す斜視図である。
【００１８】  図１に示される携帯型電子機器セット１００は、クレードル１及び破線で示される携帯型電子機器セット１００を具備する。
【００１９】  携帯型電子機器１０１は、クレードル１に装着される例えばＨＨＴ端末であるが、タブレット端末、スマートフォン、又はその他の携帯型電子機器であってもよい。
【００２０】  後述する図３Ａ〜図３Ｃに主に破線（かくれ線）で示されるように、携帯型電子機器１０１は、電子機器コネクタ１１０と、この電子機器コネクタ１１０を覆うコネクタカバー１２０と、を備える。
【００２１】  コネクタカバー１２０は、例えば防水キャップである。コネクタカバー１２０は、電子機器コネクタ１１０を覆うカバー本体１２１と、このカバー本体１２１に連結され携帯型電子機器１０１の内部に抜き出し可能に収容される棒状のアーム部１２２と、を有する。
【００２２】  図１に示されるクレードル１は、保持部１０と、引っ掛け部２０と、付勢部の一例である板バネ３０（図２Ｂ〜図２Ｅ参照）と、機器収容部４０とを備える。
【００２３】  保持部１０は、保持部本体１１と、クレードルコネクタ１２と、ガイド部１３，１４と、リブ１５，１６と、支持パッド１７，１８とを有し、携帯型電子機器１０１を保持する。
【００２４】  保持部本体１１は、クレードル１に装着された携帯型電子機器１０１のそれぞれ後方、下方、前方に位置する、後面部１１ａ、下面部１１ｂ、及び前面部１１ｃを含む。前面部１１ｃは、後面部１１ａと比較して高さが低いため、保持部本体１１は右側面視においてＪ字形状を呈する。
【００２５】  クレードルコネクタ１２は、保持部本体１１の下面部１１ｂから上方に突出するように設けられている。クレードルコネクタ１２は、携帯型電子機器１０１の電子機器コネクタ１１０に接続される。
【００２６】  ガイド部１３，１４は、クレードル１に装着される過程の携帯型電子機器１０１の両側面の各々をガイドする。ガイド部１３，１４は、保持部本体１１の後面部１１ａの左右両端に設けられている。
【００２７】  左側のガイド部１３は、後面部１１ａの左端から左方向に突出し、屈曲して前方向に延び、再度屈曲して右方向に延びるプレートである。右側のガイド部１４は、後面部１１ａの右端から右方向に突出し、屈曲して前方向に延び、再度屈曲して左方向に延びるプレートである。
【００２８】  ガイド部１３，１４は、後面部１１ａに対し、複数の嵌め込み位置のいずれかにおいて嵌め込まれることで、互いの間隔が調整可能であるとよい。
【００２９】  リブ１５，１６は、保持部本体１１の後面部１１ａにおける下部の左右２箇所において、後面部１１ａから前方に突出する。リブ１５，１６は、携帯型電子機器１０１の背面に接触することで携帯型電子機器１０１を支持する。
【００３０】  支持パッド１７，１８は、後面部１１ａの左上角部及び右上角部の２箇所において、後面部１１ａから前方に突出した部分に設けられている。支持パッド１７，１８は、携帯型電子機器１０１の背面に接触することで携帯型電子機器１０１を支持する。
【００３１】  機器収容部４０は、保持部１０における下部の後方に配置され、携帯型電子機器１０１とのデータ送受信などの各種処理を行う制御部や、バッテリーなどを収容する。なお、クレードル１が携帯型電子機器１０１の充電のみを行う場合には、機器収容部４０は省略可能である。
【００３２】  図２Ａ〜図２Ｅは、本発明の一実施の形態における引っ掛け部２０及び板バネ３０を示す正面図、右側面図、背面図、右斜め後方から見た斜視図、及び左斜め後方から見た斜視図である。なお、図２Ａにおいては、板バネ３０は引っ掛け部２０に隠れて表れない。
【００３３】  引っ掛け部２０は、引っ掛け部本体２１と、フランジ部２２，２３と、固定ネジ２４と、回動規制用突起２５と、を有する。
【００３４】  引っ掛け部本体２１は、アームプレート部２１ａと、抱え込み部２１ｂと、左右の側壁２１ｃ，２１ｄとが例えば一体に設けられている。
【００３５】  図２Ｂ、図２Ｄ、及び図２Ｅに示されるように、アームプレート部２１ａは、平面状を呈し、図１に示される保持部本体１１の後面部１１ａの中央において、後面部１１ａと平行に配置される。アームプレート部２１ａは、回動中心軸部材として機能する後述する突出部２３ａ，２３ｂ（フランジ部２２，２３）と抱え込み部２１ｂとを直接的（間接的であってもよい。）に連結するアーム部の一例として機能する。
【００３６】  図２Ｂ、図２Ｄ、及び図２Ｅに示されるように、抱え込み部２１ｂは、アームプレート部２１ａの下端から屈曲し前方斜め下方に延びる第１の部分２１ｂ−１と、この第１の部分２１ｂ−１の先端から湾曲し前方斜め上方に延びる第２の部分２１ｂ−２と、この第２の部分２１ｂ−２から屈曲し上方に延びる第３の部分２１ｂ−３と、を含む。詳しくは後述するが、図３Ａ〜図３Ｃに示されるように、抱え込み部２１ｂは、コネクタカバー１２０を引っ掛けて抱え込む。
【００３７】  図２Ａ及び図２Ｅに示されるように、抱え込み部２１ｂには、第３の部分２１ｂ−３の上端から第２の部分２１ｂ−２に亘って、切り欠き部２１ｂ−４が形成されている。この切り欠き部２１ｂ−４は、図２Ａに示されるように、抱え込み部２１ｂの左右方向の中央よりも左寄りに形成されている。
【００３８】  図２Ｄ及び図２Ｅに示されるように、側壁２１ｃ，２１ｄは、抱え込み部２１ｂの左右両端において互いに対向するように設けられている。
【００３９】  図２Ｄ及び図２Ｅに示されるように、フランジ部２２，２３は、アームプレート部２１ａの左上角部及び右上角部の２箇所において、アームプレート部２１ａから後方に突出するように設けられている。フランジ部２２，２３は、左側面視及び図２Ｂの右側面視において円形を呈する円板状に形成されている。左側のフランジ部２２には、左方向に突出する突出部２２ａが設けられている。右側のフランジ部２３には、右方向に突出する突出部２３ａが設けられている。
【００４０】  突出部２２ａ，２３ａは、図１に示す保持部本体１１の後面部１１ａにより回動可能に支持されている。これにより、引っ掛け部２０は、図２Ｂ、図２Ｄ，及び図２Ｅに示される矢印Ｄ方向に回動する。
【００４１】  図２Ｂ、図２Ｄ、及び図２Ｅに示されるように、固定ネジ２４は、板バネ３０をアームプレート部２１ａの背面に固定する。回動規制用突起２５は、アームプレート部２１ａの背面から後方に突出するように設けられている。回転規制用突起２５は、板バネ３０の下端に設けられた切り欠き部分に嵌合することで、板バネ３０の回動を規制する。
【００４２】  板バネ３０は、アームプレート部２１ａと図１に示される保持部本体１１の後面部１１ａとに沿うように上端側で湾曲している。板バネ３０は、保持部１０と引っ掛け部２０との間に配置されることで、引っ掛け部２０を後述する図３Ａに示される第１の位置Ｐ１に向けて付勢する。なお、本実施の形態では、付勢部の一例が板バネ３０であるが、付勢部としては、例えば、ねじりバネ、圧縮バネ、ゴムといった他の弾性体などであってもよい。
【００４３】  以下、主に引っ掛け部２０の動作を中心に、クレードル１及び携帯型電子機器セット１００の動作を説明する。
【００４４】  図３Ａ〜図３Ｃは、本発明の一実施の形態における、電子機器コネクタ１１０とクレードルコネクタ１２とが接続される際の引っ掛け部２０の動作を説明するための説明図である。
【００４５】  引っ掛け部２０は、携帯型電子機器１０１が装着されていない状態では、板バネ３０により付勢されることで図３Ａに示される第１の位置Ｐ１に位置する。この第１の位置Ｐ１は、引っ掛け部２０がクレードル１に対する携帯型電子機器１０１の装着経路を遮蔽する位置である。なお、引っ掛け部２０の少なくとも一部が、クレードル１に装着される過程の携帯型電子機器１０１とクレードルコネクタ１２との間に位置すれば、携帯型電子機器１０１の装着経路を遮蔽するといえる。
【００４６】  図３Ａに示される携帯型電子機器１０１のコネクタカバー１２０は、予め人の手によって、電子機器コネクタ１１０を覆う位置からカバー本体１２１が取り外され、アーム部１２２が携帯型電子機器１０１の内部から抜き出されている。これにより、カバー本体１２１は、携帯型電子機器１０１から垂れ下がった状態、つまり、電子機器コネクタ１１０を覆う位置から離隔した状態となっている。
【００４７】  但し、カバー本体１２１は、電子機器コネクタ１１０を覆う位置にあってもよい。その場合、引っ掛け部２０が後述するようにカバー本体１２１を引っ掛けることで、カバー本体１２１を、電子機器コネクタ１１０を覆う位置から離隔させればよい。
【００４８】  図３Ａ及び図３Ｂに示されるように、携帯型電子機器１０１は、クレードル１に装着される過程で、第１の位置Ｐ１にある引っ掛け部２０を押圧しながらクレードルコネクタ１２に接近する。例えば、携帯型電子機器１０１は、引っ掛け部２０の引っ掛け部本体２１の側壁２１ｃ，２１ｄにおける上端を押圧する。
【００４９】  引っ掛け部２０は、携帯型電子機器１０１により押圧されることによって、コネクタカバー１２０を引っ掛けて抱え込みながら、板バネ３０の弾性力に抗して図３Ｂにおける反時計回り（矢印Ｄ１）に後方へ回動する。例えば、引っ掛け部２０は、引っ掛け部本体２１の抱え込み部２１ｂの第３の部分２１ｂ−３においてコネクタカバー１２０のカバー本体１２１を引っ掛け、抱え込み部２１ｂ内に抱え込む。
【００５０】  そして、図３Ｂ及び図３Ｃに示されるように、携帯型電子機器１０１がクレードルコネクタ１２に更に接近して、電子機器コネクタ１１０とクレードルコネクタ１２とが接続されると、引っ掛け部２０は、コネクタカバー１２０を引っ掛けて抱え込みながら、携帯型電子機器１０１の装着経路から退避した第２の位置Ｐ２に移動する。
【００５１】  この引っ掛け部２０の第１の位置Ｐ１から第２の位置Ｐ２への移動中において、カバー本体１２１は、引っ掛け部２０の回動に伴い抱え込み部２１ｂに抱え込まれたまま、抱え込み部２１ｂの第２の部分２１ｂ−２により持ち上げられて天地が逆になるように反転する。そして、アーム部１２２が、抱え込み部２１ｂの切り欠き部２１ｂ−４に挿入され、切り欠き部２１ｂ−４により支持される。
【００５２】  その後、携帯型電子機器１０１がクレードル１から取り出されるときには、引っ掛け部２０は、携帯型電子機器１０１により押圧されなくなる。そのため、引っ掛け部２０は、板バネ３０から加えられる付勢力によって、図３Ａに示される第１の位置Ｐ１に戻るように回動する。
【００５３】  なお、本実施の形態では、引っ掛け部２０は、回動することによって第１の位置Ｐ１と第２の位置Ｐ２とに移動するが、例えばスライドすることによって第１の位置Ｐ１と第２の位置Ｐ２とに移動してもよい。その場合の引っ掛け部２０の一例としては、第１の位置Ｐ１において携帯型電子機器１０１により押圧されることによってコネクタカバー１２０を引っ掛けて抱え込みながら第２の位置Ｐ２にスライドするスライダと、このスライダをガイドするガイドとを有する引っ掛け部が挙げられる。
【００５４】  以上説明した本実施の形態では、クレードル１には、電子機器コネクタ１１０と、この電子機器コネクタ１１０を覆うコネクタカバー１２０とを備える携帯型電子機器１０１が装着される。保持部１０は、携帯型電子機器１０１の電子機器コネクタ１１０に接続されるクレードルコネクタ１２を有し、携帯型電子機器１０１を保持する。引っ掛け部２０は、クレードル１に対する携帯型電子機器１０１の装着経路を遮蔽する第１の位置Ｐ１において、携帯型電子機器１０１により押圧されることによって、コネクタカバー１２０を引っ掛けて抱え込みながら、装着経路から退避した第２の位置Ｐ２に移動する。付勢部の一例である板バネ３０は、引っ掛け部２０を第１の位置Ｐ１に向けて付勢する。
【００５５】  そのため、携帯型電子機器１０１側の構造ではなく、引っ掛け部２０及び板バネ３０を用いた、クレードル１側の構造によって、携帯型電子機器１０１のコネクタカバー１２０を装着経路から退避させることができる。また、引っ掛け部２０がコネクタカバー１２０を引っ掛けて抱え込みながら第２の位置Ｐ２に移動するため、コネクタカバー１２０を確実に装着経路から退避させることができる。
【００５６】  よって、本実施の形態によれば、携帯型電子機器１０１の構造が複雑化するのを防ぎながら、クレードル１に対する携帯型電子機器１０１の装着経路から携帯型電子機器１０１のコネクタカバー１２０を確実に退避させることができる。これによって、携帯型電子機器１０１がクレードル１に装着される際にコネクタカバー１２０を人の手によって保持する手間を省略することができる。そのため、電子機器コネクタ１１０とクレードルコネクタ１２との接続部分を注視しながら携帯型電子機器１０１をクレードル１に装着することもできる。また、引っ掛け部２０は、板バネ３０によって第１の位置Ｐ１に向けて付勢されているため、携帯型電子機器１０１が装着されない状態では、第１の位置Ｐ１である、携帯型電子機器１０１の装着経路を遮蔽する位置においてクレードルコネクタ１２を保護することもできる。
【００５７】  また、本実施の形態では、引っ掛け部２０は、電子機器コネクタ１１０を覆う位置から離隔した状態のコネクタカバー１２０を引っ掛けて抱え込みながら第２の位置Ｐ２に移動する。そのため、より一層確実に、携帯型電子機器１０１のコネクタカバー１２０を装着経路から退避させることができる。
【００５８】  また、本実施の形態では、引っ掛け部２０は、保持部１０によって第１の位置Ｐ１と第２の位置Ｐ２とに回動可能に支持されている。そのため、引っ掛け部２０を移動させるための構造を簡素にすることができる。
【００５９】  また、本実施の形態では、付勢部が、引っ掛け部２０と保持部１０との間に配置された板バネ３０である。そのため、引っ掛け部２０を移動させるための構造をより一層簡素にすることができる。
【００６０】  また、本実施の形態では、携帯型電子機器１０１のコネクタカバー１２０は、電子機器コネクタ１１０を覆うカバー本体１２１と、このカバー本体１２１に連結され携帯型電子機器１０１の内部に抜き出し可能に収容されるアーム部１２２と、を有する。引っ掛け部２０には、カバー本体１２１を引っ掛けて抱え込んだ状態で、アーム部１２２が挿入される切り欠き部２１ｂ−４が形成されている。そのため、抱え込み部２１ｂがカバー本体１２１を抱え込まれやすくなることによって、より一層確実に、携帯型電子機器１０１のコネクタカバー１２０を装着経路から退避させることができる。
【００６１】  また、本実施の形態では、保持部１０は、クレードル１に装着される過程の携帯型電子機器１０１の両側面の各々をガイドする２つのガイド部１３，１４を更に備える。そのため、携帯型電子機器１０１の装着経路が規定され、携帯型電子機器１０１が引っ掛け部２０を押圧しやすくなる。これによって、より一層確実に、携帯型電子機器１０１のコネクタカバー１２０を装着経路から退避させることができる。
【００６２】  なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能であることはもちろんである。
【符号の説明】
【００６３】      １      クレードル    １０      保持部    １１      保持部本体    １１ａ      後面部    １１ｂ      下面部    １１ｃ      前面部    １２      クレードルコネクタ    １３，１４      ガイド部    １５，１６      リブ    １７，１８      支持パッド    ２０      引っ掛け部    ２１      引っ掛け部本体    ２１ａ      アームプレート部    ２１ｂ      抱え込み部    ２１ｂ−１      第１の部分    ２１ｂ−２      第２の部分    ２１ｂ−３      第３の部分    ２１ｂ−４      切り欠き部    ２１ｃ，２１ｄ      側壁    ２２      フランジ部    ２２ａ      突出部    ２３      フランジ部    ２３ａ      突出部    ２４      固定ネジ    ２５      回動規制用突起    ３０      板バネ    ４０      機器収容部  １００      携帯型電子機器セット  １０１      携帯型電子機器  １１０      電子機器コネクタ  １２０      コネクタカバー  １２１      カバー本体  １２２      アーム部
【図１】
2016103523.tif 000003
【図２Ａ】
2016103523.tif 000004
【図２Ｂ】
2016103523.tif 000005
【図２Ｃ】
2016103523.tif 000006
【図２Ｄ】
2016103523.tif 000007
【図２Ｅ】
2016103523.tif 000008
【図３Ａ】
2016103523.tif 000009
【図３Ｂ】
2016103523.tif 000010
【図３Ｃ】
2016103523.tif 000011
【国際調査報告】
2016103523.tif 000012
2016103523.tif 000013